(57)【要約】【課題】アンテナ専用の外部電源供給部材を別途設けることなく、アンテナの故障に起因して受信装置本体に発生する不具合を抑制することが可能な受信装置を提供する。【解決手段】この受信装置２は、制御部２ｂに電力を供給する制御部用電源回路２ｃと、制御部用電源回路２ｃと電気的に絶縁するように設けられ、アンテナ３に電力を供給するアンテナ用電源回路２ｄとを備える。【選択図】図２
2008219543.tif 000002
【特許請求の範囲】
【請求項１】
アンテナが接続されるアンテナ接続部を含む装置本体を備えた受信装置において、
前記装置本体を制御する制御部と、
前記装置本体に設けられ、前記制御部に電力を供給する第１内部電源と、
前記装置本体に前記第１内部電源と電気的に絶縁するように設けられ、前記アンテナに電力を供給する第２内部電源と、
互いに電気的に絶縁されたコイル部および第１スイッチ部から構成されたリレーとをさらに備え、
前記第１内部電源は、前記リレーの前記コイル部に接続されているとともに、前記第２内部電源は、前記リレーの前記第１スイッチ部を介して前記アンテナ接続部に接続され、
前記装置本体は、前記第１内部電源と前記リレーの前記コイル部との間に設けられた第２スイッチ部をさらに含み、
前記制御部により前記第２スイッチ部のオンオフが制御されることにより、前記第１内部電源を介して前記リレーの前記コイル部への電流の供給が制御されるとともに、前記リレーの前記コイル部に電流が流れるのに伴って前記リレーの前記第１スイッチ部のオンオフが制御されて、前記第２内部電源から前記リレーの前記第１スイッチ部を介しての前記アンテナへの電力の供給が制御されるように構成され、
前記制御部は、前記装置本体に接続された前記アンテナがアクティブアンテナか否かを検知するアンテナ検知機能を有し、
前記制御部は、前記アンテナ検知機能により前記装置本体に接続された前記アンテナが前記アクティブアンテナであることが検知された場合に、前記電源部より前記アンテナ接続部を介して前記アンテナに電力を供給するとともに、前記アクティブアンテナではないことが検知された場合および前記装置本体に前記アンテナが接続されていないことが検知された場合に、前記アンテナ接続部に電力を供給しないように制御する、受信装置。
【請求項２】
アンテナが接続されるアンテナ接続部を含む装置本体と、
前記装置本体を制御する制御部と、
前記装置本体に設けられ、前記制御部に電力を供給する第１内部電源と、
前記装置本体に前記第１内部電源と電気的に絶縁するように設けられ、前記アンテナに電力を供給する第２内部電源とを備えた、受信装置。
【請求項３】
前記装置本体は、互いに電気的に絶縁されたコイル部および第１スイッチ部から構成されたリレーをさらに備え、
前記第１内部電源は、前記リレーの前記コイル部に接続されているとともに、前記第２内部電源は、前記リレーの前記第１スイッチ部を介して前記アンテナ接続部に接続されている、請求項２に記載の受信装置。
【請求項４】
前記装置本体は、前記第１内部電源と前記リレーの前記コイル部との間に設けられた第２スイッチ部をさらに含み、
前記制御部により前記第２スイッチ部のオンオフが制御されることにより、前記第１内部電源を介して前記リレーの前記コイル部への電流の供給が制御されるとともに、前記リレーの前記コイル部に電流が流れるのに伴って前記リレーの前記第１スイッチ部のオンオフが制御されて、前記第２内部電源から前記リレーの前記第１スイッチ部を介しての前記アンテナへの電力の供給が制御されるように構成されている、請求項２または３に記載の受信装置。
【請求項５】
前記制御部は、前記装置本体に接続された前記アンテナがアクティブアンテナか否かを検知するアンテナ検知機能を有する、請求項２〜４のいずれか１項に記載の受信装置。
【請求項６】
前記制御部は、前記アンテナ検知機能により前記装置本体に接続された前記アンテナが前記アクティブアンテナであることが検知された場合に、前記第２内部電源より前記アンテナ接続部を介して前記アンテナに電力を供給するとともに、前記アクティブアンテナではないことが検知された場合および前記装置本体に前記アンテナが接続されていないことが検知された場合に、前記アンテナ接続部に電力を供給しないように制御する、請求項２〜５のいずれか１項に記載の受信装置。
【発明の詳細な説明】
【技術分野】
【０００１】
この発明は、受信装置に関し、特に、アンテナが接続される装置本体を備えた受信装置に関する。
【背景技術】
【０００２】
従来、アンテナが接続される装置本体を備えた受信装置が知られている（たとえば、特許文献１〜４参照）。
【０００３】
上記特許文献１には、受信した信号を増幅させる能動回路がアンテナ内部に設けられたアクティブアンテナが開示されている。この特許文献１に記載のアクティブアンテナでは、１つのケーブルによってアンテナ内部の能動回路へ供給される電力の伝送と、受信信号の伝送とが行われるように構成されている。
【０００４】
また、上記特許文献２には、アクティブアンテナが接続された受信機が開示されている。この特許文献２に記載の受信機では、電源から受信機本体に電力が供給されるとともに、受信機に電力を供給する回路網を介してアクティブアンテナにも電力が供給されるように構成されている。
【０００５】
また、上記特許文献３には、アクティブアンテナと、分波器と、テレビ受信機とから構成されるアクティブアンテナ用分波装置が開示されている。この特許文献３に記載のアクティブアンテナ用分波装置では、テレビ受信機とアクティブアンテナとが分波器を介して接続されているとともに、分波器とアクティブアンテナとに電力を供給するためのＡＣアダプタが分波器に接続され、地上波テレビ信号と衛星放送信号とを受信することが可能なように構成されている。なお、上記特許文献３における分波器とは、１つのアンテナにおいて受信した地上波テレビ信号と衛星放送信号との合成された信号をそれぞれの周波数帯域に分けて出力させる機器である。
【０００６】
また、上記特許文献４には、アクティブアンテナおよびパッシブアンテナのいずれのアンテナを接続しても動作可能なＧＰＳ受信機が開示されている。この上記特許文献４に記載のＧＰＳ受信機では、受信機本体の回路網を介してアクティブアンテナに電力が供給されるように構成されている。
【０００７】
【特許文献１】特開昭５６−２７５３７号公報
【特許文献２】特開平７−２２６６９３号公報
【特許文献３】特開２００５−３４１３６２号公報
【特許文献４】特開２００２−１２２６５１号公報
【発明の開示】
【発明が解決しようとする課題】
【０００８】
しかしながら、上記特許文献１に記載のアクティブアンテナでは、受信装置本体への電力供給を行う回路網の構成について開示も示唆もなされていないので、受信装置本体に電力供給を行う回路網とアンテナ内部の能動回路に電力供給を行う回路網とが電気的に絶縁されていない場合があると考えられる。この場合には、アクティブアンテナ側で故障が発生した際に、アクティブアンテナの故障に起因して受信装置に不具合が発生する場合がある。
【０００９】
また、上記特許文献２に記載の受信機では、受信機本体に電力供給を行う回路網と、アクティブアンテナに電力供給を行う回路網が電気的に絶縁されていないので、アクティブアンテナ側で故障が発生した際に、アクティブアンテナの故障に起因して受信装置に不具合が発生する場合があるという問題点がある。
【００１０】
また、上記特許文献３に記載のアクティブアンテナ用分波装置では、テレビ受信機に電力を供給する電源の他に、アクティブアンテナを動作させるための専用のＡＣアダプタ（外部電源供給部材）を別途設ける必要があるという問題点がある。
【００１１】
また、上記特許文献４に記載のＧＰＳ受信機では、受信機本体の回路網を介して、アクティブアンテナに電力を供給しているので、ＧＰＳ受信機の回路網とアクティブアンテナに電力供給を行う回路網とが電気的に絶縁されていない場合があると考えられる。この場合、アクティブアンテナ側で故障が発生した際に、アクティブアンテナの故障に起因してＧＰＳ受信機に不具合が発生する場合があるという問題点がある。
【００１２】
この発明は、上記のような課題を解決するためになされたものであり、この発明の１つの目的は、アンテナ専用の外部電源供給部材を別途設けることなく、アンテナの故障に起因して受信装置本体に発生する不具合を抑制することが可能な受信装置を提供することである。
【課題を解決するための手段および発明の効果】
【００１３】
この発明の第１の局面による受信装置は、アンテナが接続されるアンテナ接続部を含む装置本体を備えた受信装置において、装置本体を制御する制御部と、装置本体に設けられ、制御部に電力を供給する第１内部電源と、装置本体に第１内部電源と電気的に絶縁するように設けられ、アンテナに電力を供給する第２内部電源と、互いに電気的に絶縁されたコイル部および第１スイッチ部から構成されたリレーとをさらに備え、第１内部電源は、リレーのコイル部に接続されているとともに、第２内部電源は、リレーの第１スイッチ部を介してアンテナ接続部に接続され、装置本体は、第１内部電源とリレーのコイル部との間に設けられた第２スイッチ部をさらに含み、制御部により第２スイッチ部のオンオフが制御されることにより、第１内部電源を介してリレーのコイル部への電流の供給が制御されるとともに、リレーのコイル部に電流が流れるのに伴ってリレーの第１スイッチ部のオンオフが制御されて、第２内部電源からリレーの第１スイッチ部を介してのアンテナへの電力の供給が制御されるように構成され、制御部は、装置本体に接続されたアンテナがアクティブアンテナか否かを検知するアンテナ検知機能を有し、制御部は、アンテナ検知機能により装置本体に接続されたアンテナがアクティブアンテナであることが検知された場合に、電源部よりアンテナ接続部を介してアンテナに電力を供給するとともに、アクティブアンテナではないことが検知された場合および装置本体にアンテナが接続されていないことが検知された場合に、アンテナ接続部に電力を供給しないように制御する。
【００１４】
この第１の局面による受信装置では、上記のように、制御部に電力を供給する第１内部電源と、装置本体に第１内部電源と電気的に絶縁するように設けられ、アンテナに電力を供給する第２内部電源とを備えるように構成することによって、制御部に電力を供給するための第１内部電源と、アンテナに電力を供給するための第２内部電源とが電気的に絶縁されるので、アンテナ側が故障した際に、アンテナの故障に起因して受信装置本体に不具合が発生することを抑制することができる。また、受信装置の制御部への電力供給およびアンテナへの電力供給をいずれも受信装置の内部電源（第１内部電源および第２内部電源）から行っているので、アンテナへの電力供給のために、たとえば、ＡＣアダプタなどの外部電源供給部材を別途設ける必要がない。
【００１５】
また、第１の局面による受信装置では、記装置本体が、互いに電気的に絶縁されたコイル部および第１スイッチ部から構成されたリレーをさらに備え、第１内部電源が、リレーのコイル部に接続されるとともに、第２内部電源が、リレーの第１スイッチ部を介してアンテナ接続部に接続されるように構成することによって、第１内部電源から制御部およびコイル部に電力が供給されるとともに、第２内部電源から第１スイッチ部を介してアンテナ部に電力が供給される。そして、リレーのコイル部および第１スイッチ部が互いに電気的に絶縁されているので、アンテナ側が故障した際にもアンテナ側の故障に起因して受信装置本体の不具合が発生するのを確実に抑制することができる。また、装置本体が、第１内部電源とリレーのコイル部との間に設けられた第２スイッチ部をさらに含むように構成することによって、制御部により第２スイッチ部のオンオフが制御されることにより、第１内部電源を介してリレーのコイル部への電流の供給が制御されるとともに、リレーのコイル部に電流が流れるのに伴ってリレーの第１スイッチ部のオンオフが制御されて、第２内部電源からリレーの第１スイッチ部を介してのアンテナへの電力の供給が制御される。したがって、制御部により第２スイッチ部のオンオフを制御することにより、リレーの第１スイッチ部のオンオフを制御することができるので、第２内部電源からアンテナへの電力供給のオンオフを容易に制御することができる。また、制御部が、装置本体に接続されたアンテナがアクティブアンテナか否かを検知するアンテナ検知機能を有するように構成することによって、制御部のアンテナ検知機能により、装置本体に接続されたアンテナがアクティブアンテナであることを自動的に検知することができる。また、制御部が、アンテナ検知機能により装置本体に接続されたアンテナがアクティブアンテナであることが検知された場合に、第２内部電源よりアンテナ接続部を介してアンテナに電力を供給するとともに、アクティブアンテナではないことが検知された場合および装置本体にアンテナが接続されていないことが検知された場合に、アンテナ接続部に電力を供給しないように制御するように構成することによって、アクティブアンテナではないことが検知された場合および装置本体にアンテナが接続されていないことが検知された場合にアンテナ接続部に電力供給しない分、消費電力を低減することができる。
【００１６】
この発明の第２の局面による受信装置は、アンテナが接続されるアンテナ接続部を含む装置本体と、装置本体を制御する制御部と、装置本体に設けられ、制御部に電力を供給する第１内部電源と、装置本体に第１内部電源と電気的に絶縁するように設けられ、アンテナに電力を供給する第２内部電源とを備える。
【００１７】
この第２の局面による受信装置では、上記のように、制御部に電力を供給する第１内部電源と、装置本体に第１内部電源と電気的に絶縁するように設けられ、アンテナに電力を供給する第２内部電源とを備えるように構成することによって、制御部に電力を供給するための第１内部電源と、アンテナに電力を供給するための第２内部電源とが電気的に絶縁されるので、アンテナ側が故障した際に、アンテナの故障に起因して受信装置本体に不具合が発生することを抑制することができる。また、受信装置の制御部への電力供給およびアンテナへの電力供給をいずれも受信装置の内部電源（第１内部電源および第２内部電源）から行っているので、アンテナへの電力供給のために、たとえば、ＡＣアダプタなどの外部電源供給部材を別途設ける必要がない。
【００１８】
上記第２の局面による受信装置において、好ましくは、装置本体は、互いに電気的に絶縁されたコイル部および第１スイッチ部から構成されたリレーをさらに備え、第１内部電源は、リレーのコイル部に接続されるとともに、第２内部電源は、リレーの第１スイッチ部を介してアンテナ接続部に接続される。このように構成すれば、第１内部電源から制御部およびコイル部に電力が供給されるとともに、第２内部電源から第１スイッチ部を介してアンテナ部に電力が供給される。そして、リレーのコイル部および第１スイッチ部が互いに電気的に絶縁されているので、アンテナ側が故障した際にもアンテナ側の故障に起因して受信装置本体の不具合が発生するのを確実に抑制することができる。
【００１９】
上記第２の局面による受信装置において、好ましくは、装置本体は、第１内部電源とリレーのコイル部との間に設けられた第２スイッチ部を含む。このように構成すれば、制御部により第２スイッチ部のオンオフが制御されることにより、第１内部電源を介してリレーのコイル部への電流の供給が制御されるとともに、リレーのコイル部に電流が流れるのに伴ってリレーの第１スイッチ部のオンオフが制御されて、第２内部電源からリレーの第１スイッチ部を介してのアンテナへの電力の供給が制御される。したがって、制御部により第２スイッチ部のオンオフを制御することにより、リレーの第１スイッチ部のオンオフを制御することができるので、第２内部電源からアンテナへの電力供給のオンオフを容易に制御することができる。
【００２０】
上記第２の局面による受信装置において、好ましくは、制御部は、装置本体に接続されたアンテナがアクティブアンテナか否かを検知するアンテナ検知機能を有する。このように構成すれば、制御部のアンテナ検知機能により、装置本体に接続されたアンテナがアクティブアンテナであることを自動的に検知することができる。
【００２１】
上記第２の局面による受信装置において、好ましくは、制御部は、アンテナ検知機能により装置本体に接続されたアンテナがアクティブアンテナであることが検知された場合に、第２内部電源よりアンテナ接続部を介してアンテナに電力を供給するとともに、アクティブアンテナではないことが検知された場合および装置本体にアンテナが接続されていないことが検知された場合に、アンテナ接続部に電力を供給しないように制御する。このように構成すれば、アクティブアンテナではないことが検知された場合および装置本体にアンテナが接続されていないことが検知された場合にアンテナ接続部に電力供給しない分、消費電力を低減することができる。
【発明を実施するための最良の形態】
【００２２】
以下、本発明を具体化した実施形態を図面に基づいて説明する。
【００２３】
（第１実施形態）
図１は、本発明の第１実施形態による受信装置が内蔵されたディジタルテレビの全体構成を示す図である。また、図２および図３は、本発明の第１実施形態による受信装置のブロック図である。まず、図１〜図３を参照して、本発明の第１実施形態による受信装置２の構成について説明する。なお、第１実施形態において、ディジタルテレビの受信装置に本発明を適用した場合について説明する。
【００２４】
本発明の第１実施形態によるディジタルテレビ１の受信装置２は、図１に示すように、ディジタルテレビ１に内蔵されている。また、ディジタルテレビ１は、アンテナ３が接続されるアンテナ接続部１ａと、アンテナ３により受信した映像などの情報を表示する表示部１ｂと、アンテナ３により受信された信号を映像に変換する受信装置２とによって構成されている。また、ディジタルテレビ１は、リモコン４により操作可能なように構成されている。
【００２５】
また、図２および図３に示すように、第１実施形態による受信装置２は、メモリ部２ａと、ＣＰＵからなる制御部２ｂと、制御部２ｂに電力を供給する制御部用電源回路２ｃと、アンテナ３（図１参照）に電力を供給するアンテナ用電源回路２ｄと、コイル部２ｅおよびスイッチ部２ｆにより構成されたリレー２ｇと、スイッチ素子２ｈによって構成されている。制御部用電源回路２ｃは、ＡＣ／ＤＣコンバータ２ｉを含み、アンテナ用電源回路２ｄは、ＡＣ／ＤＣコンバータを含む。なお、図２は、第１実施形態による受信装置２にアクティブアンテナ３ａが接続されている状態を示しているとともに、図３は、第１実施形態による受信装置２にパッシブアンテナ３ｂが接続されている状態を示している。また、アクティブアンテナ３ａとは、受信した信号を電気的に増幅および減衰させる増幅回路を内部に含むアンテナである。また、パッシブアンテナ３ｂとは、増幅および減衰する増幅回路を含んでいないアンテナである。また、制御部用電源回路２ｃおよびアンテナ用電源回路２ｄは、それぞれ、本発明の「第１内部電源」および「第２内部電源」の一例である。また、スイッチ部２ｆおよびスイッチ素子２ｈは、それぞれ、本発明の「第１スイッチ部」および「第２スイッチ部」の一例である。
【００２６】
また、制御部用電源回路２ｃは、ＡＣ／ＤＣコンバータ２ｉを介して制御部２ｂとスイッチ素子２ｈとのそれぞれに接続されている。また、アンテナ用電源回路２ｄは、ＡＣ／ＤＣコンバータを介してリレー２ｇのスイッチ部２ｆに接続されている。
【００２７】
ここで、第１実施形態では、制御部２ｂに電力を供給する制御部用電源回路２ｃの電力供給経路と、アンテナ３に電力を供給するアンテナ用電源回路２ｄの電力供給の経路とが、それぞれ互いに電気的に絶縁するように設けられている。
【００２８】
また、リレー２ｇのコイル部２ｅは、鉄などの磁性材料（図示せず）の芯のまわりにコイルを巻くことによって形成されている。そして、コイル部２ｅに電流が流れることによって磁性材料が磁化されるとともに、磁化された磁性材料の磁力によりスイッチ部２ｆがコイル部２ｅに付勢するように構成されている。すなわち、リレー２ｇのコイル部２ｅは電磁石としての機能を有し、コイル部２ｅに電流を流すことによってスイッチ部２ｆのオンとオフとが切り替わるように構成されている。
【００２９】
ここで、第１実施形態では、リレー２ｇのコイル部２ｅおよびスイッチ部２ｆは互いに電気的に絶縁されるように構成されており、制御部用電源回路２ｃは、リレー２ｇのコイル部２ｅに接続されているとともに、アンテナ用電源回路２ｄは、リレー２ｇのスイッチ部２ｆを介してアンテナ接続部１ａに接続されている。また、制御部２ｂとリレー２ｇのコイル部２ｅとは、スイッチ素子２ｈを介して接続されている。
【００３０】
また、スイッチ素子２ｈは、制御部２ｂとリレー２ｇのコイル部２ｅとの間に設置されているとともに、制御部２ｂの制御ポートから伝達される制御信号に基づいてオンオフ制御が行われるように構成されている。
【００３１】
また、ＡＣ／ＤＣコンバータ２ｉおよび２ｊは、それぞれ、制御部用電源回路２ｃおよびアンテナ用電源回路２ｄから供給される交流電源を直流電源に変換するための機能を有している。また、制御部用電源回路２ｃおよびアンテナ用電源回路２ｄは、それぞれ、内部電源を含んでいる。
【００３２】
また、メモリ部２ａには、受信装置２を制御するための制御プログラムなどが格納されている。
【００３３】
ここで、第１実施形態では、制御部２ｂによりスイッチ素子２ｈのオンオフが制御されることによって、制御部用電源回路２ｃを介してリレー２ｇのコイル部２ｅへの電流の供給が制御される。そして、リレー２ｇのコイル部２ｅに電流が流れるのに伴ってリレー２ｇのスイッチ部２ｆのオンオフが制御されるとともに、アンテナ用電源回路２ｄからスイッチ部２ｆを介してのアンテナ３（図１参照）への電力の供給が制御されるように構成されている。
【００３４】
また、リレー２ｇのスイッチ部２ｆとアンテナ接続部１ａとの間の部分（図２のノードＡ）は、制御部２ｂの受信感度検知ポートと接続されている。また、制御部２ｂは、アンテナ用電源回路２ｄを制御するための制御信号をアンテナ用電源回路２ｄに供給するように構成されている。
【００３５】
ここで、第１実施形態では、制御部２ｂは、ディジタルテレビ１に接続されたアンテナ３（図１参照）がアクティブアンテナ３ａか否かを検知するアンテナ検知機能を有する。このアンテナ検知機能とは、アンテナ用電源回路２ｄからアンテナ３（図１参照）へ供給する電力の大きさを変化させた場合に、ノードＡにおいて、アンテナ３からの受信信号の受信強度に変化があるか否かを検知することによって、アンテナ接続部１ａにアクティブアンテナ３ａが接続されているか否かを検知する機能である。具体的には、まず、アンテナ３が受信した信号を受信装置２に送信する際に、制御部２ｂがアンテナ用電源回路２ｄを制御することにより、アンテナ用電源回路２ｄからアンテナ３へ供給する電力の大きさを変化させる。このとき、アンテナ接続部１ａに接続されたアンテナ３がアクティブアンテナ３ａである場合には、アンテナ３への供給電力の大きさの変化に伴って検知される受信信号の受信強度が変化する。また、接続されたアンテナ３がパッシブアンテナ３ｂである場合およびアンテナ３が接続されていない状態の場合には、検知される受信信号の受信強度は変化しない。すなわち、制御部２ｂは、アンテナ３に供給する電力の大きさを変化させた際にノードＡにおける受信信号の受信強度が変化する場合に、アンテナ接続部１ａに接続されたアンテナ３はアクティブアンテナ３ａであると検知するように構成されている。また、制御部２ｂは、ディジタルテレビ１に電源が投入される毎に、アンテナ接続部１ａに接続されたアンテナ３がアクティブアンテナ３ａか否かを検知するように構成されている。
【００３６】
また、第１実施形態では、制御部２ｂは、アンテナ検知機能によりディジタルテレビ１に接続されたアンテナ３がアクティブアンテナ３ａであることが検知された場合に、アンテナ用電源回路２ｄよりアンテナ接続部１ａを介してアンテナ３に電力を供給するとともに、アクティブアンテナ３ａではないことが検知された場合およびディジタルテレビ１にアンテナ３が接続されていないことが検知された場合に、アンテナ接続部１ａに電力を供給しないように制御するように構成されている。
【００３７】
また、第１実施形態において、制御部２ｂは、たとえば、ＤＶＤの映像などのテレビジョン以外の映像がディジタルテレビ１の表示部１ｂ（図１参照）に表示されている場合に、アンテナ接続部１ａに電力を供給しないように制御することが可能なように構成されている。
【００３８】
図４および図５は、本発明の第１実施形態による受信装置に接続されたアンテナがアクティブアンテナか否かを判断する制御フローを示したフローチャートである。次に、図１〜図５を参照して、第１実施形態の受信装置２の制御部２ｂによるリレー２ｇの制御、および、第１実施形態の受信装置２の電源投入時および電源投入状態における動作について説明する。
【００３９】
まず、図１〜図３を参照して、第１実施形態の受信装置２の制御部２ｂによるリレー２ｇの制御について説明する。
【００４０】
図２および図３に示すように、まず、アンテナ３（図１参照）に電力が供給されている状態では、リレー２ｇのスイッチ部２ｆは閉じた状態であるとともに、スイッチ素子２は開いた状態が維持されている。この状態において、制御部２ｂの制御ポートからスイッチ素子２ｈに制御信号が伝達されるとスイッチ素子２ｈが閉じた状態になる。スイッチ素子２ｈが閉じた状態になると、制御部用電源回路２ｃからＡＣ／ＤＣコンバータ２ｉによって交流から直流に変換された電流がスイッチ素子２ｈを介してリレー部２ｇのコイル部２ｅに流れる。このとき、上記したように、コイル部２ｅの内側に設けられた磁性材料が磁化されることによって、リレー２ｇのスイッチ部２ｆがコイル部２ｅに付勢する。したがって、スイッチ部２ｆが開放の状態になり、アンテナ用電源回路２ｄからアンテナ３への電力の供給が停止する。
【００４１】
次に、図１〜図５を参照して、第１実施形態の受信装置２の電源投入時および電源投入状態における動作について説明する。
【００４２】
まず、本発明の第１実施形態による受信装置２への電源投入時における動作について説明する。なお、受信機２の電源投入前の状態では、スイッチ素子２ｈは閉じた状態（オン状態）に維持されている。
【００４３】
図４に示すように、まず、ステップＳ１において、ユーザのリモコン操作などによる受信装置２（図２参照）に対する電源投入の指示があるか否かが判断され、電源が投入されるまでこの判断が繰り返される。そして、受信装置２に電源投入の指示があると判断されると、ステップＳ２において、受信装置２による受信動作が開始される。そして、ステップＳ３において、制御部２ｂの制御によりスイッチ素子２ｈがオフ状態になることにより、ステップＳ４において、制御部用電源回路２ｃからスイッチ素子２ｈを介してリレー２ｇのコイル部２ｅへ供給されていた電流が停止される。そして、ステップＳ５において、ステップＳ４においてコイル部２ｅに流れていた電流が停止することによりコイル部２ｅに付勢力として発生していた電磁力がなくなり、コイル部２ｅに対するスイッチ部２ｆの付勢力が解消される。すなわち、リレー２ｇのスイッチ部２ｆがオン状態になる。
【００４４】
そして、ステップＳ６において、５Ｖの電圧、３０ｍＡの電流からなる電力がアンテナ用電源回路２ｄからアンテナ接続部１ａを介してアンテナ３に供給されるとともに、アンテナ３において受信動作が開始される。そして、アンテナ３において信号が受信されると、受信された信号が受信装置２に送信される。そして、ステップＳ７に進み、制御部２ｂによってノードＡ（図２および図３参照）における受信信号の受信強度の検知が開始される。そして、ステップＳ８において、制御部２ｂがアンテナ用電源回路２ｄを制御することによってアンテナ３に供給される供給電力の大きさを変化させるとともに、ステップＳ９において、アンテナ３への供給電力の大きさの変化に伴う受信強度の大きさの変化があるか否かが判断される。ここで、受信信号の受信強度の大きさの変化があると判断された場合には、ステップＳ１０に進み、接続されたアンテナ３がアクティブアンテナ３ａであると判断される。また、ステップＳ９において、受信信号の受信強度の大きさに変化がないと判断された場合には、ステップＳ１１に進み、接続されたアンテナ３がアクティブアンテナ３ａではない場合およびアンテナ３が接続されていない状態の場合のいずれかに該当すると判断される。そして、ステップＳ１２に進み、制御部２ｂによってアンテナ３に電力を供給しないように制御されて処理が終了される。
【００４５】
そして、ステップＳ１０において、接続されたアンテナ３がアクティブアンテナ３ａであると判断されると、ステップＳ１３に進み、テレビジョンの映像を表示させる設定がされているか否かが判断される。ここで、テレビジョンの映像を表示させる設定とは、アンテナ３を介して受信した映像情報をディジタルテレビ１の表示部１ｂ（図１参照）に表示させるか否かという設定である。具体的には、テレビジョンの映像を表示させる設定がされている場合は、ユーザがテレビジョンの映像を観賞する場合が考えられる。また、テレビジョンの映像を表示させる設定がされてない場合は、たとえば、ＤＶＤ表示装置などによる外部機器の映像情報を表示させる場合が考えられる。
【００４６】
そして、図４のステップＳ１３において、ディジタルテレビ１の表示部１ｂにテレビジョンの映像を表示させる設定がされていると判断された場合には、ステップＳ１４において、アンテナ３への電力供給が開始されて処理が終了される。また、テレビジョンの映像を表示させる設定がされていないと判断された場合には、ステップＳ１２において、アンテナ３へ電力供給しないように制御されるとともに処理が終了される。
【００４７】
次に、本発明の第１実施形態による受信装置２の電源投入状態における動作について説明する。図５に示すように、ステップＳ１５において、アンテナ３（図１参照）へ電力が供給されているか否かが判断される。アンテナ３へ電力が供給されていると判断されない場合は、判断されるまで繰り返し動作を行う。そして、アンテナ３へ電力が供給されていると判断された場合には、ステップＳ１６において、テレビジョンの映像を表示する設定がされているか否かが判断される。ここで、テレビジョンの映像を表示する設定がされていると判断された場合には、ステップＳ１７に進み、アンテナ３への電力供給が継続されるとともに、再び最初に戻って繰り返し動作を行う。また、ステップＳ１６において、テレビジョンの映像を表示する設定がされていないと判断された場合には、ステップＳ１８に進み、アンテナ３への電力供給が停止される。なお、受信装置２の電源投入状態におけるテレビジョンの映像を表示する設定がされていない具体的な例としては、ユーザがテレビジョンの映像を観賞している際に、途中からＤＶＤ表示装置などによる外部機器の映像情報を表示させるように切り換えた場合などが考えられる。
【００４８】
第１実施形態では、上記のように、制御部２ｂに電力を供給する制御部用電源回路２ｃと、受信装置２に制御部用電源回路２ｃと電気的に絶縁するように設けられ、アンテナ３に電力を供給するアンテナ用電源回路２ｄとを備えるように構成することによって、制御部２ｂに電力を供給するための制御部用電源回路２ｃと、アンテナ３に電力を供給するためのアンテナ用電源回路２ｄとが電気的に絶縁されるので、アンテナ３が故障した際に、アンテナ３の故障に起因して受信装置２に不具合が発生することを抑制することができる。また、受信装置２の制御部２ｂへの電力供給およびアンテナ３への電力供給をいずれも受信装置２の内部電源（制御部用電源回路２ｃおよびアンテナ用電源回路２ｄの内部電源）から行っているので、アンテナ３への電力供給のために、たとえば、ＡＣアダプタなどの外部電源供給部材を別途設ける必要がない。
【００４９】
また、第１実施形態では、受信装置２は、互いに電気的に絶縁されたコイル部２ｅおよびスイッチ部２ｆから構成されたリレー２ｇをさらに備え、制御部用電源回路２ｃは、制御部２ｂおよびリレー２ｇのコイル部２ｅに接続されるとともに、アンテナ用電源回路２ｄは、リレー２ｇのスイッチ部２ｆを介してアンテナ接続部１ａに接続されるように構成することによって、制御部用電源回路２ｃから制御部２ｂおよびコイル部２ｅに電力が供給されるとともに、アンテナ用電源回路２ｄからスイッチ部２ｆを介してアンテナ３に電力が供給される。そして、リレー２ｇのコイル部２ｅおよびスイッチ部２ｆが互いに電気的に絶縁されているので、アンテナ３側が故障した際にもアンテナ側の故障に起因して受信装置２の不具合が発生するのを確実に抑制することができる。
【００５０】
また、第１実施形態では、受信装置２は、制御部用電源回路２ｃとリレー２ｇのコイル部２ｅとの間に設けられたスイッチ素子２ｈを含むように構成することによって、制御部２ｂによりスイッチ素子２ｈのオンオフが制御されることにより、制御部用電源回路２ｃを介してリレー２ｇのコイル部２ｅへの電流の供給が制御される。そして、リレー２ｇのコイル部２ｅに電流が流れるのに伴ってリレー２ｇのスイッチ部２ｆのオンオフが制御されて、アンテナ用電源回路２ｄからリレー２ｇのスイッチ部２ｆを介してのアンテナ３への電力の供給が制御される。したがって、制御部２ｂによりスイッチ素子２ｈのオンオフを制御することにより、リレーのスイッチ部２ｆのオンオフを制御することができる。したがって、アンテナ用電源回路２ｄからアンテナ３への電力供給のオンオフを容易に制御することができる。
【００５１】
また、第１実施形態では、制御部２ｂは、受信装置２に接続されたアンテナ３がアクティブアンテナ３ａか否かを検知するアンテナ検知機能を有するように構成することによって、制御部２ｂのアンテナ検知機能により、受信装置２に接続されたアンテナ３がアクティブアンテナ３ａであることを自動的に検知することができる。
【００５２】
また、第１実施形態では、制御部２ｂは、アンテナ検知機能により受信装置２に接続されたアンテナ３がアクティブアンテナ３ａであることが検知された場合に、アンテナ用電源回路２ｄよりアンテナ接続部１ａを介してアンテナ３に電力を供給するとともに、アクティブアンテナ３ａではないことが検知された場合および受信装置２にアンテナ３が接続されていないことが検知された場合に、アンテナ接続部１ａに電力を供給しないように制御するように構成することによって、アクティブアンテナ３ａではないことが検知された場合および受信装置２にアンテナ３が接続されていないことが検知された場合にアンテナ接続部１ａに電力供給しない分、消費電力を低減することができる。
【００５３】
（第２実施形態）
図６は、本発明の第２実施形態による受信装置のブロック図である。また、図７は、本発明の第２実施形態による受信装置に接続されたアンテナがアクティブアンテナか否かを判断する制御フローを示したフローチャートである。この第２実施形態では、アンテナにおける受信強度の変化を検知することによって装置本体に接続されたアンテナがアクティブアンテナか否かを検知した第１実施形態とは異なり、検知した電圧の大きさを判断することによって、装置本体に接続されたアンテナがアクティブアンテナか否かを検知する例を説明する。なお、この第２実施形態において、第１実施形態の構成と同様の部分は説明を省略する。
【００５４】
まず、図１〜図３および図６を参照して、本発明の第２実施形態による受信装置２０の構成について説明する。本発明の第２実施形態による受信装置２０は、図６に示すように、第１実施形態による受信装置２の構成（図２参照）におけるリレー２ｇのスイッチ部２ｆとノードＡ（第２実施形態におけるノードＢ）との間に電圧検出抵抗２０ｋを設置した構成になっている。つまり、アンテナ用電源回路２０ｄより供給された電力は、リレー２０ｇのスイッチ部２０ｆ、電圧検出抵抗２０ｋおよびアンテナ接続部１ａを介してアンテナ３（図１参照）に到達するように構成されている。
【００５５】
ここで、第２実施形態では、図６に示すように、制御部２０ｂは、ディジタルテレビ１に接続されたアンテナ３（図１参照）がアクティブアンテナ３ａか否かを検知するアンテナ検知機能を有する。第２実施形態におけるアンテナ検知機能は、アンテナ用電源回路２０ｄから所定の大きさの電力をアンテナ接続部１ａを介してアンテナ３（図１参照）に供給するとともに、電圧検出抵抗２０ｋとアンテナ接続部１ａとの間のノードＢの電圧の大きさを検知することによりアクティブアンテナ３ａか否かを検知するように構成されている。
【００５６】
具体的には、アンテナ用電源回路２０ｄからは電圧５Ｖ、電流３０ｍＡからなる電力が供給される。そして、供給電力はリレー２０ｇのスイッチ部２０ｆ、電圧検出抵抗２０ｋ、ノードＢおよびアンテナ接続部１ａを介してアンテナ３に到達する。この際に、制御部２０ｂは、ノードＢにおける電圧の大きさを検知して、接続されたアンテナ３がアクティブアンテナ３ａか否かを判断する。ここで、アクティブアンテナ３ａには、上記したようにアンテナ内に増幅回路が含まれていることにより、この増幅回路を一定の負荷と見なすことができる。したがって、アンテナ接続部１ａにアクティブアンテナ３ａが接続されている場合、ノードＢにおける電圧として、約１Ｖ程度の電圧が検知される。また、パッシブアンテナ３ｂ（図３参照）には、上記したように増幅回路は含まれておらず、パッシブアンテナ３ｂの一方は接地されている。したがって、アンテナ接続部１ａにパッシブアンテナ３ｂが接続されている場合、ノードＢにおける電圧として、約０Ｖの電圧が検知される。また、アンテナ接続部１ａにアンテナ３（アクティブアンテナ３ａおよびパッシブアンテナ３ｂ）が接続されていない場合、アンテナ接続部１ａは開放されていることになるので、アンテナ接続部１ａに電力は供給されず、電圧検出抵抗２０ｋに電流が流れない。したがって、ノードＢにおける電圧として、約５Ｖ程度の電圧が検知される。
【００５７】
以上のように、制御部２０ｂは、ノードＢにおける電圧の大きさが約１Ｖ程度の場合には、アンテナ接続部１ａに接続されたアンテナ３がアクティブアンテナ３ａであると判断し、かつ、検知された電圧の大きさが約０Ｖの場合には、接続されたアンテナ３がパッシブアンテナ３ｂであると判断する。また、検知された電圧の大きさが約５Ｖ程度の場合には、アンテナ接続部１ａにアンテナ３（アクティブアンテナ３ａおよびパッシブアンテナ３ｂ）が接続されていないと判断するように制御するように構成されている。
【００５８】
次に、図１、図３、図６および図７を参照して、本発明の第２実施形態による受信装置２０の電源投入時における動作について説明する。なお、受信装置２０の制御部２０ｂによるリレー２０ｇの制御および受信装置２０の電源投入状態における動作は第１実施形態と同様であるのでその説明を省略する。
【００５９】
まず、ステップＳ１〜ステップＳ６において、図４を用いて説明した第１実施形態と同様の動作が行われる。そして、ステップＳ６において、アンテナ３（図１参照）に５Ｖの電圧および３０ｍＡの電流からなる電力がアンテナ接続部１ａ（図６参照）に対して供給されると、ステップＳ２１において、制御部２０ｂによりノードＢにおける電圧の検知が開始される。そして、ステップＳ２２において、ステップＳ２１において検知された電圧の大きさが約０Ｖであると判断された場合、ステップＳ２３において、アンテナ接続部１ａに接続されたアンテナ３がアクティブアンテナ３ａではないと判断されて、ステップＳ１２に進む。そして、ステップＳ１２において、制御部２０ｂによって、アンテナ３へ電力を供給しないように制御されて処理が終了される。なお、この場合、検知された電圧は約０Ｖなので、アンテナ接続部１ａに接続されたアンテナ３はパッシブアンテナ３ｂ（図３参照）であると考えられる。
【００６０】
また、図７に示すように、ステップＳ２２において、検知された電圧が約０Ｖではないと判断された場合、ステップＳ２４において、検知された電圧が約１Ｖであるか否かが判断される。そして、ステップＳ２４において、検知された電圧が約１Ｖであると判断された場合、ステップＳ１０において、接続されたアンテナ３がアクティブアンテナ３ａであると判断される。
【００６１】
また、ステップＳ２４において、検知された電圧が約１Ｖではないと判断された場合、ステップＳ２５において、アンテナ接続部１ａにアンテナ３が接続されていないと判断される。そして、ステップＳ１２において、制御部２０ｂによって、アンテナ３へ電力を供給しないように制御されて処理が終了される。なお、この場合、約５Ｖ程度の電圧が検知される。つまり、アンテナ接続部１ａにアンテナ３が接続されていない開放状態の場合であると考えられる。
【００６２】
そして、ステップＳ１０において、接続されたアンテナ３がアクティブアンテナ３ａであると判断されると、ステップＳ１３に進み、以降は第１実施形態と同様の動作が行われる。
【００６３】
上記のように、第２実施形態では、アンテナ用電源回路２０ｄとアンテナ接続部１ａとの間に電圧検出抵抗２０ｋをさらに設け、制御部２０ｂが、アンテナ用電源回路２０ｄから５Ｖの電圧および３０ｍＡの電流からなる電力をアンテナ接続部１ａを介してアンテナ３に供給するとともに、電圧検出抵抗２０ｋとアンテナ接続部１ａとの間の電圧の大きさを検知することによりアクティブアンテナ３ａか否かを検知するように構成することによって、検知された電圧の大きさによりアンテナ接続部１ａに接続されたアンテナ３がアクティブアンテナ３ａか否かを検知するので、アンテナ接続部１ａに接続されたアンテナ３がアクティブアンテナ３ａか否かを自動的に検知することができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
たとえば、上記第１および第２実施形態において、リレーのコイル部に電流が流れることによりスイッチ部がオフ状態になる例を示したが、本発明はこれに限らず、リレーのコイル部に電流が流れることによってスイッチ部がオン状態になるように構成してもよい。
【００６６】
また、上記第１および第２実施形態において、制御部により、アンテナ接続部にアクティブアンテナが接続されていないと検知された場合に自動的にアンテナに電力供給を行わない例を示したが、本発明はこれに限らず、アクティブアンテナが接続されていないと検知された場合に、ユーザに対してアンテナに電力供給を行うか否かを選択させるように構成してもよい。
【図面の簡単な説明】
【００６７】
【図１】本発明の第１実施形態による受信装置が内蔵されたディジタルテレビの全体構成を示す図である。
【図２】図１に示した本発明の第１実施形態による受信装置のブロック図である。
【図３】図１に示した本発明の第１実施形態による受信装置のブロック図である。
【図４】図１に示した本発明の第１実施形態による受信装置の電源投入時における制御フローを示したフローチャートである。
【図５】図１に示した本発明の第１実施形態による受信装置の電源投入状態における制御フローを示したフローチャートである。
【図６】本発明の第２実施形態による受信装置のブロック図である。
【図７】図６に示した本発明の第２実施形態による受信装置の電源投入時における制御フローを示したフローチャートである。
【符号の説明】
【００６８】
１            ディジタルテレビ（装置本体）
１ａ          アンテナ接続部
２、２０      受信装置
２ｂ、２０ｂ  制御部
２ｃ、２０ｃ  制御部用電源回路（第１内部電源）
２ｄ、２０ｄ  アンテナ用電源回路（第２内部電源）
２ｅ、２０ｅ  コイル部
２ｆ、２０ｆ  スイッチ部（第１スイッチ部）
２ｇ、２０ｇ  リレー
２ｈ、２０ｈ  スイッチ素子（第２スイッチ部）
３            アンテナ
３ａ          アクティブアンテナ
【図１】
2008219543.tif 000003
【図２】
2008219543.tif 000004
【図３】
2008219543.tif 000005
【図４】
2008219543.tif 000006
【図５】
2008219543.tif 000007
【図６】
2008219543.tif 000008
【図７】
2008219543.tif 000009